(57)【要約】【課題】化粧料塗布具を、化粧料用容器の塗布具収容室に収容する化粧品において、塗布具収容室からの化粧料塗布具の取り出しを容易にする。【解決手段】化粧料用容器１Ａが、棒状の把持部１１の端部に塗布体１２、１３を有する化粧料塗布具１０を複数本収容するための塗布具収容室４と、化粧料Ａを収容するための化粧料収容室３とを備える。化粧料用容器１Ａは、並列した複数本の化粧料塗布具１０が、各々の把持部１１の離間した２箇所で支持されるように複数の台座２０Ａ（２０Ａａ、２０Ａｂ）を塗布具収容室４に有し、少なくとも一つの台座２０Ａが、該台座２０Ａで支持される化粧料塗布具１０の間に突出する仕切り部２１を有する。【選択図】図１
2015104484.tif 000002
【特許請求の範囲】
【請求項１】
棒状の把持部の端部に塗布体を有する化粧料塗布具を複数本収容するための塗布具収容室と、化粧料を収容するための化粧料収容室とを備えた化粧料用容器であって、
並列した複数本の化粧料塗布具が、それぞれの把持部の離間した２箇所で支持されるように複数の台座を塗布具収容室に有し、少なくとも一つの台座は、該台座で支持される隣り合う化粧料塗布具の間に突出する仕切り部を有する化粧料用容器。
【請求項２】
並列した複数本の化粧料塗布具を支持する一対の台座を有し、各台座は、該台座で支持される隣り合う化粧料塗布具の間に突出する仕切り部を有する請求項１記載の化粧料用容器。
【請求項３】
各台座は、塗布具収容室の長手方向を二分する中央線に対して対称に形成されている請求項２記載の化粧料用容器
【請求項４】
各台座は、互いに平行に設けられている請求項１〜３のいずれかに記載の化粧料用容器。
【請求項５】
台座が塗布具収容室に着脱可能に設けられている請求項１〜４のいずれかに記載の化粧料用容器。
【請求項６】
第１の化粧料塗布具を支持する部位の高さと第２の化粧料塗布具の把持部を支持する部位の高さとが異なる台座を有する請求項１〜５のいずれかに記載の化粧料用容器。
【請求項７】
各台座において、化粧料塗布具の把持部を支持する面が平坦である請求項１〜６のいずれかに記載の化粧料用容器。
【請求項８】
各台座において、化粧料塗布具の把持部を支持する面が、下に凸に湾曲している請求項１〜６のいずれかに記載の化粧料用容器。
【請求項９】
第１の化粧料塗布具の把持部を支持する支持面と第２化粧料塗布具の把持部を支持する支持面との塗布具収容室の長手方向の位置がずれている台座を有する請求項１〜８のいずれかに記載の化粧料用容器。
【請求項１０】
請求項１〜９のいずれかに記載の化粧料用容器において、化粧料収容室に化粧料が収容され、塗布具収容室に化粧料塗布具が収容されている化粧料製品。
【請求項１１】
化粧料塗布具の把持部の断面が扁平形状である請求項１０記載の化粧料製品。
【発明の詳細な説明】
【技術分野】
【０００１】
本発明は、化粧料塗布具の収容室を備えた化粧料用容器に関する。
【背景技術】
【０００２】
アイシャドウ、アイブロー、チーク等の化粧料に用いられる化粧料用容器として、化粧料を収容する化粧料収容室と、その化粧料の塗布に使用する化粧料塗布具を収容する塗布具収容室とを有するものが普及している。
このような化粧料用容器は、携帯しやすいように小型化されているので、塗布具収容室は狭くなっている。そのため、化粧料塗布具を塗布具収容室から取り出すことは容易でない。
【０００３】
そこで、塗布具収容室の側壁面に斜面を突設し、化粧料塗布具を塗布具収容室から取り出すときには、この斜面と反対側の塗布具収容室側壁と化粧料塗布具との間に指を入れ、その指で化粧料塗布具を斜面側に押しつけ、化粧料塗布具が斜面に乗り上がるようにすることが提案されている（特許文献１）。
【０００４】
また、化粧料容器の小型化に伴い、塗布具収容室の深さが浅くなっているので、化粧料容器の蓋がスライド式の場合には蓋を閉じるときに化粧料塗布具が蓋に挟まりやすいという問題がある、これに対し、塗布具収容室の底面に化粧料塗布具を載置する２つのリブ状の台座を設けることが提案されている（特許文献２）。
【先行技術文献】
【特許文献】
【０００５】
【特許文献１】特許４４３１１８８号公報
【特許文献２】特開２００９−２４７５７６号公報
【発明の概要】
【発明が解決しようとする課題】
【０００６】
しかしながら、化粧料塗布具収容室の側壁面に斜面を突設しても、塗布具収容室に収容した化粧料塗布具と、塗布具収容室側壁との間に指を入れにくいために、依然として塗布具収容室から化粧料塗布具を取り出すことは容易でない。さらに、塗布具収容室の底面に載置されている化粧料塗布具を斜面側に引き寄せても、化粧料塗布具が斜面に突っかかり、化粧料塗布具が取り出し難い場合がある。
【０００７】
また、塗布具収容室の底面に単にリブ状の台座を設けても、塗布具収容室に複数本の化粧料塗布具を収容する場合、複数の化粧料塗布具は並列し、互いに接触又は近接した状態で収容されるため、そのうちの１本を取り出すことは依然として容易でなく、他の化粧料塗布具を塗布具収容室から不用意に押し出し、落としてしまう場合もある。
【０００８】
このような従来技術に対し、本発明が解決しようとする課題は、化粧料塗布具を収容する塗布具収容室を備えた化粧料用容器において、塗布具収容室からの化粧料塗布具の取り出しを容易にすることに関する。
【課題を解決するための手段】
【０００９】
本発明者は、複数本の化粧料塗布具と、化粧料塗布具の収容室とを備えた化粧料用容器に関し、化粧料塗布具の把持部の離間した２箇所が載置されるように複数の台座を収納室に設け、少なくとも一つの台座には仕切り部を突出させ、その仕切り部によって、台座上の隣り合う化粧料塗布具を仕切ると、隣り合う化粧料塗布具の把持部同士の間隙に指を入れやすくなることを見出し、かかる仕切り部を備えた台座を有する本発明を完成させた。
【００１０】
即ち、本発明は、棒状の把持部の端部に塗布体を有する化粧料塗布具を複数本収容するための塗布具収容室と、化粧料を収容するための化粧料収容室とを備えた化粧料用容器であって、
並列した複数本の化粧料塗布具が、それぞれの把持部の離間した２箇所で支持されるように複数の台座を塗布具収容室に有し、少なくとも一つの台座は、該台座で支持される隣り合う化粧料塗布具の間に突出する仕切り部を有する化粧料用容器を提供する。
【発明の効果】
【００１１】
本発明によれば、化粧料塗布具を塗布具収容室に収容する化粧料用容器において、塗布具収容室からの化粧料塗布具の取り出しが容易となる。
【図面の簡単な説明】
【００１２】
【図１】図１は、本発明の一実施例を示す化粧料用容器１Ａの（ａ）斜視図及び（ｂ）断面図である。
【図２】図２は、（ａ）実施例及び（ｂ）、（ｃ）従来技術における化粧料塗布具の取り出し状態を示す、化粧料用容器の断面図である。
【図３】図３は、本発明の別の実施例を示す化粧料用容器１Ｂの斜視図である。
【図４】図４は、本発明の別の実施例を示す化粧料用容器１Ｃの（ａ）斜視図及び（ｂ）断面図である。
【図５】図５は、本発明の別の実施例を示す化粧料用容器１Ｄの（ａ）斜視図及び（ｂ）断面図である。
【図６】図６は、本発明の別の実施例を示す化粧料用容器１Ｅの斜視図である。
【図７】図７は、本発明の別の実施例を示す化粧料用容器１Ｆの（ａ）斜視図及び（ｂ）断面図である。
【図８】図８は、本発明の別の実施例を示す化粧料用容器１Ｇの（ａ）斜視図及び（ｂ）断面図である。
【発明を実施するための形態】
【００１３】
以下、図面を参照しつつ、本発明を具体的に説明する。なお、各図中、同一符号は、同一又は同等の構成要素を表している。
【００１４】
図１は、本発明の一実施例の化粧料用容器１Ａの（ａ）斜視図及び（ｂ）Ｘ−Ｘ断面図である。この化粧料用容器１Ａは、コンパクトケース型の薄型容器であって、薄型の容器本体２に、アイシャドウ、アイブロー、チーク等のケーキ状の化粧料Ａを収容する化粧料収容室３と、化粧料Ａの塗布に使用する化粧料塗布具１０を２本と、この２本の化粧料塗布具１０を収容する塗布具収容室４を備えている。化粧料用容器１Ａは、化粧料Ａを化粧料収容室３に収容し、化粧料塗布具１０を塗布具収容室４に収容し、化粧料製品となる。
【００１５】
また、容器本体２には、ヒンジで蓋５が接合されている。蓋５に設けられた係着リブ７ａが、容器本体２に設けられた被係止部７ｂと着脱可能に係止することで蓋５が閉じる。化粧料用容器１Ａの使用時における手前側の面にはボタン７が設けられており、ボタン７を塗布具収容室４側に押圧することで係着リブ７ａと被係止部７ｂとの係止状態が解除される。
【００１６】
化粧料塗布具１０は、断面が扁平な直棒状の把持部１１と、把持部の両端部に形成された塗布体１２、１３を有している。ここで、化粧料塗布具１０の把持部１１の断面が扁平であるとは、断面形状が矩形でも楕円でも扁平な円でもよいが、アスペクト比（長径と短径の比）が１１：１０以上であることが好ましく、６：５以上がより好ましい。これにより、化粧料塗布具１０を収容する化粧品用容器１Ａの薄型化の要請に応じることができる。
【００１７】
なお、本発明の化粧料用容器が収容する化粧料塗布具の把持部の断面形状は、扁平に限られず、例えば、真円、正方形、三角形その他の多角形とすることができる。
【００１８】
塗布体１２、１３の形成材料に特に制限はなく、例えば、スポンジ、フロッキー加工した樹脂材料、刷毛等から形成することができる。塗布体１２、１３は、それぞれ異なる材質のものを用いてもよく、また異なる形状や大きさに形成していてもよい。
また、塗布体は把持部１１の一端にのみ形成してもよい。
【００１９】
この化粧料用容器１Ａは、２本の化粧料塗布具１０を並列させて収納する塗布具収容室４の底面６に、各化粧料塗布具１０が、把持部１１内の離間した２箇所で支持されるように、複数の台座２０Ａを有している。より具体的には、直棒状の把持部１１の両端部を載置する一対の台座２０Ａ（２０Ａａ、２０Ａｂ）を有している。ここで、把持部１１の両端部とは、直棒状の把持部１１の両側の最端部に限られない。化粧料塗布具１０を２箇所で支持でき、その間に指を入れられる程度に把持部１１の中央部から両端に寄っている部分であればよい。また、２箇所には限られず、３箇所で支持されていてもよい。
【００２０】
底面６に台座２０Ａ（２０Ａａ、２０Ａｂ）があることにより、化粧料塗布具１０が塗布具収容室４に収納された状態で、把持部１１は塗布具収容室４の底面６に直接載置されておらず、塗布具収容室４の底面６よりも高い位置にある。これにより、塗布具収容室４に収容されている化粧料塗布具１０の取り出し時に、隣り合う化粧料塗布具１０の間に指を挿入し、化粧料塗布具１０の把持部１１に指を掛けやすくなる。また、化粧料塗布具１０が塗布具収容室４に収容された状態で、塗布体１２、１３が塗布具収容室４の底面６に接していないので、化粧料の付着した塗布体１２、１３で塗布具収容室４が汚れることを抑制することもできる。
【００２１】
各台座２０Ａａ、２０Ａｂは、該台座で支持される隣り合う化粧料塗布具１０の間に突出する仕切り部２１を有している。したがって、この化粧料用容器１Ａによれば、一対の台座２０Ａａ、２０Ａｂに挟まれた領域で、隣り合う化粧料塗布具１０の間隙に指を入れやすくなる。
【００２２】
即ち、図１（ｂ）に示すように、隣り合う化粧料塗布具１０の把持部１１は、仕切り部２１を有する台座２０Ａがあることにより間隙があり、また、塗布具収容室４の底面６から浮いている。一方、一対の台座２０Ａａ、２０Ａｂに挟まれた領域には仕切り部２１が存在せず、しかも、塗布具収容室４の内側周壁と仕切り部２１との間で化粧料塗布具１０はずれ動くことができる。したがって、図２（ａ）に示すように、一対の台座２０Ａａ、２０Ａｂに挟まれた領域では、化粧料塗布具１０が底面６から浮いていることにより、隣り合う化粧料塗布具１０の間に指を深く入れ、さらにその間隙を押し広げることができる。したがって、把持部１１を摘み上げ、化粧料塗布具１０を塗布具収容室４から容易に取り出すことが可能となり、また、化粧料塗布具１０の取り出しの際に、手が不用意に塗布体１２、１３に触れて汚れることを防止できる。
特に、塗布具収容室４の短手方向について、仕切り部２１の幅Ｗ1が１ｍｍ以上であると、隣り合う化粧料塗布具１０の間に指を入れやすくなり、この場合に、仕切り部２１から塗布具収容室４の内側周壁までの距離Ｗ2と、把持部１１の幅Ｗ0との差を３ｍｍ〜３０ｍｍとすることが好ましい。また、化粧料塗布具１０の載置面の底面６からの高さＨ1を２ｍｍ以上とすると、指を深く入れ易くなるので好ましい。
【００２３】
この化粧料用容器１Ａは次の構成によっても使いやすさを向上させている。
第１に、塗布具収容室４の長手方向を二分する中央線Ｌ1に対して台座２０Ａａ、２０Ａｂが対称に形成されている。これにより、化粧料塗布具１０の把持部１１を塗布具収容室４の長手方向中央に配置しやすくなり、化粧料塗布具１０を塗布具収容室４に確実に収容しやすくなる。
【００２４】
第２に、一対の台座２０Ａａ、２０Ａｂ同士が平行に配置されている。これにより、化粧料塗布具１０を台座２０Ａａ、２０Ａｂに載置しやすくなり、指を入れる空間が各塗布具で均一となり、摘みやすくなる。
【００２５】
第３に、各台座２０Ａａ、２０Ａｂにおいて、化粧料塗布具１０を支持する面が平坦である。これにより、図２（ａ）に示したように、隣り合う化粧料塗布具１０の間に指を入れて把持部１１を摘み上げるときに、把持部１１の断面が楕円形状又は扁平な円形状であると、破線で示したように把持部１１を傾けて摘みやすくすることができる。
【００２６】
これに対し、図２（ｂ）に示すように、塗布具収容室の側壁に斜面が突設され、化粧料塗布具の把持部が塗布具収容室の底面に直接載置されている場合（特許文献１参照）、化粧料塗布具１０の把持部１１の下に指が入らないので把持部１１を動かしにくく、また、指で把持部１１を矢印方向に引き寄せても、把持部１１が斜面２３に突き当たり、そこに引っかかってしまい、化粧料塗布具１０の取り出しが難しくなる。
【００２７】
また、図２（ｃ）に示すように、仕切り部の無い一対のリブ状の台座２０Ｘを塗布具収容室４の底面６に設けると（特許文献２参照）、塗布具収容室４で２本の化粧料塗布具１０に大きながたつきが生じてしまう。２本の化粧料塗布具１０が塗布具収容室４内で一方に偏り、２本の化粧料塗布具１０の間に指を入れ難くなる場合もある。一方、化粧料塗布具１０のがたつきを抑制するためには、塗布具収容室４の短手方向の幅を狭くすればよいが、その場合には、隣り合う化粧料塗布具１０の間に指を入れにくくなる。
【００２８】
なお、台座２０Ａの形成材料としては、ポリエチレンテレフタレート、ポリスチレン、ポリエチレン、ポリプロピレン、ＡＳ樹脂、ＡＢＳ樹脂等の合成樹脂が挙げられる。
【００２９】
本発明は種々の態様をとることができる。
例えば、上述の化粧品１Ａにおいて、台座２０Ａは、容器本体２の塗布具収容室４の底面６に一体成形で形成されていてもよく、また容器本体２と別部材として形成し、塗布具収容室４の底面６に固着してもよく、容器本体２に対して台座２０Ｂを着脱可能としてもよい。例えば、図３に示す化粧料用容器１Ｂのように、一体成形等でプレート２４上に台座２０Ｂを設け、塗布具収容室４にプレート２４を嵌入して載置するだけで、台座２０Ｂが塗布具収容室４内の所定の位置に配置されるようにすることができる。この場合、プレート２４は、塗布具収容室４の底面６と略同じ形状および大きさにすることが好ましい。台座２０Ｂを備えたプレート２４は、外れ難くするため、塗布具収容室４の底面に対して粘着剤等で仮止めしてもよい。
【００３０】
台座２０Ｂを着脱可能とすると、塗布具収容室４に収納する化粧料塗布具１０の形状や寸法を変更する場合に、容器本体２を変更することなく、台座２０Ｂの変更だけで対応することが可能となるので好ましい。また、台座２０Ｂを着脱可能とすることは、塗布具収容室４及び台座２０Ｂの洗浄をしたり、台座２０Ｂの色を変更して化粧料用容器１Ｂの外観や印象を変えることが可能となる点でも好ましい。色を変更する場合、台座２０Ｂの色を、化粧料塗布具１０又はその把持部１１の色と異ならせることにより、化粧料塗布具１０又は把持部１１の視認性が向上する。また、使用者の好みに応じて、台座２０Ｂを取り外して使用することも可能となる。
【００３１】
図４の化粧料用容器１Ｃは、一対の台座２０Ｃ（２０Ｃａ、２０Ｃｂ）において、第１の化粧料塗布具１０ａが支持される支持面２２の高さ（即ち、鉛直方向の位置）と第２の化粧料塗布具１０ｂが支持される支持面２２ｂの高さとを異ならせたものである。これにより、一対の台座２０Ｃａ、２０Ｃｂに挟まれた領域において、第１の化粧料塗布具１０ａの把持部１１と第２の化粧料塗布具１０ｂの把持部１１との間に形成される間隙がより広くなり、この間隙に指を入れやすくなる。
【００３２】
なお、化粧料用容器１Ｃのユーザーは、化粧料の塗布時に、通常、化粧料収容室３よりも化粧料塗布具の塗布具収容室４を手前に向けて化粧料用容器を把持するから、第１の化粧料塗布具１０ａの支持面２２ａの高さと第２の化粧料塗布具１０ｂの支持面２２ｂの高さを異ならせる場合、化粧料用容器１Ｃの周壁側の支持面２２ａを化粧料収容室３側の支持面２２ｂよりも低くすることが好ましい。これにより、第１の化粧料塗布具１０ａの把持部１１と第２の化粧料塗布具１０ｂの把持部１１との間に形成される間隙を、ユーザーが見やすくなる。
【００３３】
図５の化粧料用容器１Ｄは、図４に示した化粧料用容器１Ｃに対し、一対の台座２０Ｄ（２０Ｄａ、２０Ｄｂ）の距離を、第２の化粧料塗布具１０ｂの把持部１１を支持する支持面２２ｂの部分で狭めたものである。
【００３４】
このように各台座２０Ｄａ、２０Ｄｂにおいて、第１の化粧料塗布具１０ａの支持面２２ａと第２化粧料塗布具１０ｂの支持面２２ｂとの、塗布具収容室４の長手方向の位置をずらすことにより、あるいは、化粧料塗布具の形状に応じて、少なくとも一つの台座で、同様に、第１の化粧料塗布具１０ａの支持面２２ａと第２化粧料塗布具１０ｂの支持面２２ｂの塗布具収容室４の長手方向の位置をずらすことにより、塗布具収容室４で収容する各化粧料塗布具の支持位置を最適化することができる。
【００３５】
図６の化粧料用容器１Ｅは、図５に示した化粧料用容器１Ｄに対し、一方の台座２０Ｅａを、支持面２２ａを有するパーツと、支持面２２ｂを有するパーツとの２つに分離したものである。即ち、台座２０Ｅａは、仕切り部２１において、塗布具収容室４の長手方向に離間することで２つのパーツとなるよう分離している。このように、本発明において、一対の台座を設けることは必ずしも必要ではない。
【００３６】
図７の化粧料用容器１Ｆは、図１の化粧料用容器１Ａに対し、把持部１１の長手方向と直交する方向の断面形状を、同図（ｂ）に示すように下に凸に湾曲させ、隣り合う支持面２２同士が当接する稜線を仕切り部２１としたものである。この場合、隣り合う支持面２２の湾曲の程度は異ならせても良い。化粧料塗布具の支持面２２を湾曲させることにより、把持部１１の収まりを向上させることができる。また、把持部の支持面２２を下に凸に湾曲させることにより、図７（ｂ）に矢印で示したように、湾曲した支持面２２に沿って把持部１１を滑らすと把持部１１が傾いて持ち上がるので、把持部１１を摘み上げやすくなる。
【００３７】
また、図８の化粧料用容器１Ｇは、図７に示した化粧料用容器１Ｆに対し、湾曲した支持面２２の最下部を塗布具収容室４の周壁部側に偏らせ、その他は図７に示した化粧料用容器１Ｆと同様に構成したものである。
これにより、第１の化粧料塗布具１０ａの把持部１１と第２の化粧料塗布具１０ｂの把持部１１との間に形成される間隙がより広くなり、この間隙に指を入れることがさらに容易になる。
【００３８】
上述した種々の態様は、適宜変更又は組み合わせることができる。
例えば、図１の態様において、ボタン７側の化粧料塗布具が置かれる台座の支持面を図７に示す態様のように湾曲させてもよい。
また、化粧料用容器の塗布具収容室には、３本以上の化粧料塗布用具が収容されるように、各台座には、３個以上の支持面を形成してもよい。
また、各台座は互いに平行とはせず、ハの字又は逆ハの字に配置し、各台座の離間距離を調整してもよい。
【００３９】
化粧品はコンパクトケース型に限らない。例えば、ジャー容器の中蓋にスパチュラ等の化粧料塗布具の塗布具収容室を設け、その塗布具収容室に本発明が使用する台座を設けてもよい。
【符号の説明】
【００４０】
１Ａ、１Ｂ、１Ｃ、１Ｄ、１Ｅ、１Ｆ、１Ｇ    化粧料用容器
２    容器本体
３    化粧料収容室
４    塗布具収容室
５    蓋
６    底面
１０、１０ａ、１０ｂ    化粧料塗布具
１１    把持部
１２    塗布体
１３    塗布体
２０Ａ、２０Ａａ、２０Ａｂ、２０Ｂ、２０Ｃ、２０Ｃａ、２０Ｃｂ、２０Ｄ、２０Ｄａ、２０Ｄｂ、２０Ｅ、２０Ｅａ、２０Ｅｂ、２０Ｆ、２０Ｆａ、２０Ｆｂ、２０Ｇ、２０Ｇａ、２０Ｇｂ    台座
２１    仕切り部
２２、２２ａ、２２ｂ    支持面
２３    斜面
２４    プレート
Ａ    化粧料
【図１】
2015104484.tif 000003
【図２】
2015104484.tif 000004
【図３】
2015104484.tif 000005
【図４】
2015104484.tif 000006
【図５】
2015104484.tif 000007
【図６】
2015104484.tif 000008
【図７】
2015104484.tif 000009
【図８】
2015104484.tif 000010